(57)【要約】【課題】  高品位な画像が形成できる画像形成装置を提供すること。【解決手段】  複数の発熱源を有する定着装置を備えた画像形成装置において、前記複数の発熱源には、それぞれ画像形成装置の作動状態に応じて、所定の総消費電力を超えないように通電するための第１、第２及び第３の少なくとも３つの優先度のいずれかの優先度が割り当てられており、第１の優先度及び第２の優先度が割り当てられた発熱源は、それぞれ所定の部材が所定の温度を維持するように通電制御され、かつ前記第２の優先度が割り当てられた発熱源への通電が行われている間は、第３の優先度が割り当てられた発熱源への通電は行わず、前記第２の優先度が割り当てられた発熱源への通電が行われていない間は、前記第３の優先度が割り当てられた発熱源を所定の部材が所定の温度を維持するように通電制御する制御手段を有すること。【選択図】        図１
2006243334.tif 000002
【特許請求の範囲】
【請求項１】
定着作動を行うために、それぞれ所定の部材が所定の温度を維持するように設けられた複数の発熱源を有する定着装置を備えた画像形成装置において、
前記複数の発熱源には、それぞれ画像形成装置の作動状態に応じて、所定の総消費電力を超えないように通電するための第１、第２及び第３の少なくとも３つの優先度のいずれかの優先度が割り当てられており、
前記画像形成装置が作動状態にある時は、第１の優先度及び第２の優先度が割り当てられた発熱源は、それぞれ所定の部材が所定の温度を維持するように通電制御され、かつ前記第２の優先度が割り当てられた発熱源への通電が行われている間は、第３の優先度が割り当てられた発熱源への通電は行わず、前記第２の優先度が割り当てられた発熱源への通電が行われていない間は、前記第３の優先度が割り当てられた発熱源を所定の部材が所定の温度を維持するように通電制御する制御手段を有することを特徴とする画像形成装置。
【請求項２】
前記定着装置はそれぞれ厚みの異なる転写材に対して定着作動を行うことができるようになっており、
前記複数の発熱源には、前記転写材の厚みに応じて、かつ、それぞれ画像形成装置の作動状態に応じて、所定の総消費電力を超えないように通電するための前記第１、第２及び第３の少なくとも３つの優先度のいずれかの優先度が割り当てられていること
を特徴とする請求項１に記載の画像形成装置。
【請求項３】
前記第２の優先度が割り当てられた発熱源の消費電力と前記第３の優先度が割り当てられた発熱源の消費電力が、ほぼ等しくなるように設定されていること
を特徴とする請求項１又は請求項２に記載の画像形成装置。
【請求項４】
前記作動状態は、前記画像形成装置の電源が投入されてから、入力された画像情報に基づく画像形成作動が行われ、その後前記電源が遮断されるまでの間の一連の作動状態であって、それぞれ予め設定された条件により区分され、前記電源が投入され前記定着装置の所定の部材が所定の温度に達するまでの状態をウォーミングアップとするウォーミングアップの状態、前記ウォーミングアップの状態を経て画像形成作動が実行され、前記定着装置に最初に画像が形成された転写紙の通紙が開始されてから所定時間が経過するまで、または所定枚数の通紙が完了するまで、または転写紙の通紙が開始され通紙された転写紙の熱吸収により低下した前記定着装置の温度が所定の温度に回復するまでの何れかの状態を通紙開始直後とする通紙開始直後の状態、前記通紙開始直後の状態を経て継続して画像が形成された転写紙が前記定着装置に通紙されている状態を通紙中とする通紙中の状態、及び、前記ウォーミングアップの状態または前記通紙中の状態を経て画像情報の入力を待っている状態を待機中とする待機中の状態の少なくとも４つの作動状態に区分されていることを特徴とする請求項１または請求項２に記載の画像形成装置。
【請求項５】
前記定着装置は、定着ベルトと、定着ローラと、前記定着ベルトを介して前記定着ローラを加熱する加熱ローラと、前記定着ベルトを介して前記定着ローラに圧接する加圧ローラ、及び前記加圧ローラに当接する外部加熱ローラを有し、前記発熱源は前記加熱ローラ、前記加圧ローラ、及び前記外部加熱ローラに設けられていること
を特徴とする請求項１乃至請求項４の何れか１項に記載の画像形成装置。
【請求項６】
前記加熱ローラには、前記発熱源が少なくとも３個以上設けられていること
を特徴とする請求項５に記載の画像形成装置。
【発明の詳細な説明】
【技術分野】
【０００１】
本発明は、複写機、プリンタ、ファクシミリ装置及び、それらの複合機としての画像形成装置に関し、特に、電子写真方式により形成されたトナー像を転写紙に定着するための定着装置を備えた画像形成装置に関する。
【背景技術】
【０００２】
最近では、インターネット等の通信網の発展により、多くの画像情報等が大量に得られるようになり、これらの情報を処理するために、複写機、プリンタ、ファクシミリ装置及び、それらの複合機としての画像形成装置においては、ますます高速で高画質なカラー画像等を大量に形成できる性能を有することが要求されている。
【０００３】
これらの画像形成装置には、電子写真方式により画像を形成する画像形成装置が用いられることが多く、画像情報に基づき形成された静電潜像をトナーで現像し、顕像化されたトナー像を転写紙に定着するための定着装置が設けられている。
【０００４】
定着装置としては、例えば、定着部材として内部に発熱手段（発熱源、又はヒータともいう。）を有する定着ローラや加圧ローラとを備え、定着ローラと加圧ローラを圧接して圧接部を形成する構成のものや、内部にヒータを有する加熱ローラと定着ローラとを定着ベルトで張架した定着ローラ部材と、同様に、内部にヒータを有する加圧部材としての加圧ローラとを圧接させることにより圧接部を形成する構成のもの等が知られており、何れも定着ローラと加圧ローラの圧接部にトナー像が転写された転写紙を挿通させ、圧接部の加熱と加圧とによる定着作動によりトナーが転写紙に溶融固着して定着されるようになっている。
【０００５】
このような構成の定着装置により、転写紙（転写材ともいう。）上に形成されたトナー像を高速に定着するためには、例えば、定着部材の定着温度を高くして圧接部を通過する時間を短縮することが考えられる。
【０００６】
定着温度を短時間で高くするためには、定着装置に熱量の大きな発熱手段を設けたり、発熱手段の数量を増加すること等が考えるれるが、定着温度を短時間で高くしたり、数量を増加しようとすると、大きな消費電力が必要になるので、高速で高画質な画像形成装置を提供しようとすると画像形成装置全体の消費電力を大きくしなければならないという問題があった。
【０００７】
そこで、画像形成装置全体の消費電力を所定の消費電力内に納めるためには、定着装置の作動中の消費電力を抑制することが必要で、例えば、上ヒートローラ（定着ローラ）と下ヒートローラ（加圧ローラ）に優先度を付けると共に、それぞれ目標温度を定め、まず目標温度に基づいて優先度の高いヒートローラを作動させ、優先度の高いヒートローラのオフ（通電停止）時に優先度の低いヒートローラを作動させて、同時に点灯しないように交互にヒートローラを作動させるようにした技術（例えば、特許文献１参照）や、中間転写体に１つの画像を転写してから次の画像を転写するまでの間、例えば、定着ローラと加圧ローラの何れか一方の加熱ヒータに通電し、２本の加熱ヒータへの通電を同時に行わないようにする技術（例えば、特許文献２参照）や、２本のヒータへの通電を一定周期毎に交互に行う技術（例えば、特許文献３参照）が提案されている。また、定着装置以外の装置と連携して消費電力を抑制するために、用紙（転写紙）の除湿ヒータを定着装置のヒータのオフ（通電停止）期間に作動させることで、複写機（画像形成装置）の消費電力を抑制しようとする技術（例えば、特許文献４参照）が提案されている。
【特許文献１】特開平９−３１１５８０号公報
【特許文献２】特開２０００−１９９２６号公報
【特許文献３】特開２００４−７００５６号公報
【特許文献４】特開２００３−５８０２４号公報
【発明の開示】
【発明が解決しようとする課題】
【０００８】
しかしながら、特許文献１乃至特許文献４に記載のものは、画像形成装置の作動中は何れも予め設定された優先度で２つのヒータが常に通電制御されるようになっていた。
【０００９】
つまり、特許文献１乃至特許文献３に記載のものは、定着装置の２つのヒータの通電制御に関し、特許文献４に記載のものは、除湿ヒータと定着装置のヒータの２つのヒータの通電制御に関するものであるが、何れも予め２つのヒータに対して優先度を設定しておき、まず優先度の高いヒータに通電し、優先度の高いヒータが通電停止している間に、優先度の低いヒータを通電させることで、常に、同時に２つのヒータに通電することがないように制御して、作動中の消費電力を所定の消費電力の範囲内に抑制されるようになっている。
【００１０】
従って、転写材上に形成されたトナー像を高速で定着するために、例えば、定着装置の定着ベルトを加熱する加熱ローラや定着ベルトに当接して転写材を挿通させる圧接部を形成する加圧ローラ、および、表面側に弾性層が設けられ表面温度が上昇しにくい加圧ローラに当接して熱を補給するように設けられた外部加熱ローラ等にヒータを設けた場合、通電制御するヒータの数が３つ以上に増加し、しかも、画像形成装置の作動状態が、例えば、ウォーミングアップ（ＷＵ）、通紙開始直後、通紙中、待機中と変化したとき、それぞれの作動状態で最も最適な定着装置の温度制御が行えるようにヒータへの通電制御を行うことが要求された場合は、それぞれの作動状態により優先的に通電する必要のある重要度の高いヒータが異なるので、前述の特許文献１乃至特許文献４に記載のように、２つのヒータに対して予め設定された優先度で常に同時に通電することがないように制御するだけでは、所定の消費電力の範囲内で画像形成装置の作動状態に応じて最適な定着装置の温度制御を行うことができないという問題があった。
【００１１】
本発明は、上記問題に鑑み、所定の消費電力の範囲内で最適な定着装置の温度制御を行うことができ、定着不良等の発生のない高品位な画像が形成できる画像形成装置を提供することを目的とする。
【課題を解決するための手段】
【００１２】
本発明は、下記構成を採ることで上記目的を達成できる。
（請求項１）
定着作動を行うために、それぞれ所定の部材が所定の温度を維持するように設けられた複数の発熱源を有する定着装置を備えた画像形成装置において、
前記複数の発熱源には、それぞれ画像形成装置の作動状態に応じて、所定の総消費電力を超えないように通電するための第１、第２及び第３の少なくとも３つの優先度のいずれかの優先度が割り当てられており、
前記画像形成装置が作動状態にある時は、第１の優先度及び第２の優先度が割り当てられた発熱源は、それぞれ所定の部材が所定の温度を維持するように通電制御され、かつ前記第２の優先度が割り当てられた発熱源への通電が行われている間は、第３の優先度が割り当てられた発熱源への通電は行わず、前記第２の優先度が割り当てられた発熱源への通電が行われていない間は、前記第３の優先度が割り当てられた発熱源を所定の部材が所定の温度を維持するように通電制御する制御手段を有することを特徴とする画像形成装置。
（請求項２）
前記定着装置はそれぞれ厚みの異なる転写材に対して定着作動を行うことができるようになっており、
前記複数の発熱源には、前記転写材の厚みに応じて、かつ、それぞれ画像形成装置の作動状態に応じて、所定の総消費電力を超えないように通電するための前記第１、第２及び第３の少なくとも３つの優先度のいずれかの優先度が割り当てられていること
を特徴とする請求項１に記載の画像形成装置。
（請求項３）
前記第２の優先度が割り当てられた発熱源の消費電力と前記第３の優先度が割り当てられた発熱源の消費電力が、ほぼ等しくなるように設定されていること
を特徴とする請求項１又は請求項２に記載の画像形成装置。
（請求項４）
前記作動状態は、前記画像形成装置の電源が投入されてから、入力された画像情報に基づく画像形成作動が行われ、その後前記電源が遮断されるまでの間の一連の作動状態であって、それぞれ予め設定された条件により区分され、前記電源が投入され前記定着装置の所定の部材が所定の温度に達するまでの状態をウォーミングアップとするウォーミングアップの状態、前記ウォーミングアップの状態を経て画像形成作動が実行され、前記定着装置に最初に画像が形成された転写紙の通紙が開始されてから所定時間が経過するまで、または所定枚数の通紙が完了するまで、または転写紙の通紙が開始され通紙された転写紙の熱吸収により低下した前記定着装置の温度が所定の温度に回復するまでの何れかの状態を通紙開始直後とする通紙開始直後の状態、前記通紙開始直後の状態を経て継続して画像が形成された転写紙が前記定着装置に通紙されている状態を通紙中とする通紙中の状態、及び、前記ウォーミングアップの状態または前記通紙中の状態を経て画像情報の入力を待っている状態を待機中とする待機中の状態の少なくとも４つの作動状態に区分されていることを特徴とする請求項１または請求項２に記載の画像形成装置。
（請求項５）
前記定着装置は、定着ベルトと、定着ローラと、前記定着ベルトを介して前記定着ローラを加熱する加熱ローラと、前記定着ベルトを介して前記定着ローラに圧接する加圧ローラ、及び前記加圧ローラに当接する外部加熱ローラを有し、前記発熱源は前記加熱ローラ、前記加圧ローラ、及び前記外部加熱ローラに設けられていること
を特徴とする請求項１乃至請求項４の何れか１項に記載の画像形成装置。
（請求項６）
前記加熱ローラには、前記発熱源が少なくとも３個以上設けられていること
を特徴とする請求項５に記載の画像形成装置。
【発明の効果】
【００１３】
本発明は、画像形成装置の作動状態が複数の作動状態に区分され、複数の発熱源には、それぞれ画像形成装置の作動状態に応じて、所定の総消費電力を超えないように通電するための第１、第２及び第３の少なくとも３つの優先度のいずれかの優先度が割り当てられているので、制御手段が作動状態に応じて、これらの優先度に基づいて発熱源への通電制御を行うことにより、作動状態に応じて所定の消費電力の範囲内で画像形成装置における最適な定着装置の温度制御を行うことができ、定着不良等の発生のない高品位な画像が形成できる画像形成装置を提供することができる。
【００１４】
特に、転写材の厚みが異なる普通紙や厚紙を使用する場合に、複数の発熱源には、転写材の厚みに応じて、且つ、前記作動状態に応じて、所定の総消費電力を超えないように通電するための第１、第２及び第３の少なくとも３つの優先度のいずれかの優先度が割り当てられるようにしたので、転写材の厚みによらず安定した定着温度が得られ、定着不良等の発生のない高品位な画像が形成できる画像形成装置を提供することができる。
【００１５】
また、第２の優先度が割り当てられた発熱源と第３の優先度が割り当てられた発熱源の消費電力がほぼ等しくなるように設定したので、作動状態毎に第２の優先度が割り当てられた発熱源と第３の優先度が割り当てられた発熱源の優先度を変更しても、所定の消費電力の範囲内で効率的な通電制御を行うことができるようになった。
【００１６】
また、画像形成装置の電源が投入されてから画像形成作動を終了し電源が遮断されるまでの間の一連の作動状態をそれぞれ予め設定された条件により、例えば、ウォーミングアップの状態、通紙開始直後の状態、通紙中の状態、及び、待機中の状態の４つに区分したので、発熱源に対して作動状態に応じて最適な優先度を設定することができ、制御手段は作動状態に応じて所定の消費電力の範囲内で効率的な通電制御を行うことができる。
【００１７】
また、加熱ローラ、定着ベルト、定着ローラ、加圧ローラ、及び外部加熱ローラ等を有する定着装置の加熱ローラ、加圧ローラ、及び外部加熱ローラに発熱源を設け、また、加熱ローラに発熱源を３個以上設けることで、転写材の厚みが異なる普通紙や厚紙を使用する場合においてもそれぞれ適切な通電制御が行え、また、通紙開始直後の急激な定着温度の低下を抑制でき、転写材上のトナー像を適切に定着できるので、定着不良等の発生のない高品位な画像が形成できる画像形成装置を提供できる。
【発明を実施するための最良の形態】
【００１８】
以下、図面を参照しながら本発明を詳細に説明するが、本発明はこれに限定されるものではない。なお、各図面において、同一符号のものは同一の物を示すものとし、適宜、関連する他の図面を参照して、詳細に説明するものとする。
【００１９】
図１は本発明に係る画像形成装置の概略図、図２は本発明に係る定着装置の第１の構成図、図３は本発明に係る定着装置の第２の構成図、図４は本発明に係る画像形成装置の回路構成を示すブロック図、図５は本発明に係る画像形成装置の作動状態を説明するためのフローチャート、図６は本発明に係る定着装置の通電制御を説明するためのフローチャート、図７は本発明に係る定着装置の温度制御の実施例と比較例を示すグラフである。
【００２０】
図１により本発明に係る画像形成装置の構成について説明する。
【００２１】
本発明の実施の形態における画像形成装置２０は、説明を簡単にするために電子写真方式の複写機とする。電子写真方式の複写機はよく知られているので、本発明と直接関わりのない部分に関しては簡単に説明する。
【００２２】
２０は画像形成装置、３０は画像形成装置２０に装着された自動原稿送り装置（ＡＤＦ）である。
【００２３】
画像形成装置２０は、筐体１の右側面部に、比較的少量の転写材Ｐを供給するための手差し皿２が設けられ、左側面部には排紙皿３が設けられている。
【００２４】
排紙皿３には、後述する給紙カセット１２や手差し皿２から供給され、画像が形成された転写材Ｐが排紙され積載するようになっている。
【００２５】
なお、転写材Ｐには、普通紙からなる通常の転写紙やＯＨＰシート等からなる特殊な転写紙があるが、本実施の形態においては、特に断りのない限り、普通紙からなる通常の転写紙（単に、転写紙Ｐともいう。）を使用するものとする。
【００２６】
筐体１の底面部には画像形成装置２０を移動できるようにするための複数のローラ（キャスターともいう。）４が設けられている。
【００２７】
筐体１の前面の上部には、画像形成装置２０を作動させるための表示手段及び操作入力手段としてのコントロールパネルＣＰが設けられている。
【００２８】
コントロールパネルＣＰには、表示手段ＤＰとしての液晶表示装置、あるいは、液晶表示装置にタッチパネル等が組み込まれたタッチパネル式の液晶表示装置がある。
【００２９】
また、コピー（印刷、プリント又は印字ともいう。）をカラー又は白黒の何れにするか等の種々の画像形成条件やコピー枚数や部数等の制御関連情報の入力のために、数値等を入力するキーボードＫＢ、及び、コピー等の一連の画像形成作動を実行させるスタート釦（コピー釦ともいう。）ＳＫ等からなる操作入力手段が入力装置として設けられている。
【００３０】
特に、タッチパネル式の表示手段ＤＰは、表示部に示される数字や文字や記号等が描かれたボタン等の図柄に使用者が触れると、表示部に示される情報の選択や設定等の入力ができるようになっており、例えば、片面モードや両面モード等の作動モード等の選択設定を必要とする項目に対する入力手段を兼ねている。
【００３１】
なお、片面モードとは画像データに基づき画像形成手段１１で形成されたトナー像を転写紙Ｐの片面のみに転写して画像を形成する片面コピーモードをいう。因に、両面モードとは、転写紙の両面に画像を形成する両面コピーモードをいう。
【００３２】
筐体１の内部には、制御手段ＥＣ、転写分離手段８，定着装置１０、画像形成手段１１、画像読取手段１３、給排紙手段１４、および、中間転写体１６等が設けられている。
【００３３】
制御手段ＥＣは、制御回路とも呼ばれ、画像形成装置２０の全ての作動を制御するための手段であり、ＣＰＵ（中央演算装置：Ｃｅｎｔａｌ  Ｐｒｏｃｅｓｓｉｎｇ  Ｕｎｉｔ）等からなる電気回路で構成されている。そして、ＣＰＵに予め記憶された制御プログラムや制御データ等に基づき、画像形成装置２０を構成する全ての手段を駆動制御するようになっている。
【００３４】
また、画像形成装置２０にＡＤＦ３０等の付属装置が接続されている場合は、同様に、制御手段ＥＣは、これらの付属装置と協働して、画像形成装置２０のシステムとして全体が円滑に作動するように駆動制御する。
【００３５】
更に、ＬＡＮ（ローカル・エリア・ネットワーク）等で、パーソナルコンピュータあるいは、他の情報機器等と接続されている場合も、制御手段ＥＣは、これらの機器と協働して、作動に必要な情報の記憶や授受を含め支障なく円滑に駆動制御できるものとする。
【００３６】
画像形成手段１１は、原稿等の画像情報に基づく画像を形成するための手段である。本実施の形態はタンデム方式と呼ばれており、イエロー（Ｙ）画像を形成する画像形成ユニット１１Ｙ、マゼンタ（Ｍ）画像を形成する画像形成ユニット１１Ｍ、シアン（Ｃ）画像を形成する画像形成ユニット１１Ｃ、黒（Ｋ）画像を形成する画像形成ユニット１１Ｋを、上部から下部へと縦方向に順に画像形成装置２０の内部に配置している。
【００３７】
画像形成手段１１を構成する画像形成ユニット１１Ｙ、１１Ｍ、１１Ｃ、１１Ｋは、使用するトナーの色が異なる以外は、同じ作動を行うので、ここでは、イエロー（Ｙ）画像を形成する画像形成ユニット１１Ｙについてのみ記号を付して詳細に説明する。
【００３８】
画像形成ユニット１１Ｙは、例えば、モータ等の駆動源により予め設定された作像方向（例えば、反時計方向）に回転する感光体ドラム（感光体とも言う。）５Ｙ、感光体ドラム５Ｙを一様に帯電する帯電手段６Ｙ、原稿の画像情報（画像データともいう）に基づき信号化され、感光体ドラム５Ｙに静電潜像を形成する露光手段ＥＹ、感光体ドラム５Ｙに形成された静電潜像をトナー像として顕像化する現像手段７Ｙ、感光体ドラム５Ｙに形成されたトナー像を中間転写体１６に転写する転写手段８Ｙ（１次転写手段ともいう。）、トナー像が中間転写体１６に転写された後、感光体ドラム５Ｙに残留するトナーや紙粉等を掻き落とすためのクリーニング手段９Ｙ等により構成されている。
【００３９】
そして、それぞれの画像形成ユニットで形成されたトナー像は、例えば、時計方向に回転するベルト状の中間転写体１６（転写ベルトともいう。）に順に転写され重ね合わされるようになっている。
【００４０】
中間転写体１６に転写されたそれぞれの色のトナー像は、転写手段としての転写ローラ８によりトナー像の極性とは逆極性の電荷が転写紙Ｐに付与されて静電気力により中間転写体１６から転写紙Ｐに転写される。
【００４１】
トナー像が転写された転写紙Ｐは、定着装置１０を通過する工程でトナー像が溶融固着することにより定着され、Ｙ、Ｍ、Ｃ、Ｋのトナーによるカラー画像が形成された転写紙Ｐは、その後、排紙皿３に排出されるようになっている。
【００４２】
なお、本実施の形態のように、中間転写体を用いた画像形成装置は、それぞれの画像形成ユニットで形成されたトナー像を中間転写体上に重ね合わせることができるので、カラー画像形成装置に広く利用されている。また、中間転写体は画像形成ユニットで形成されたトナー像を転写できるものであれば、ベルトに限らず、ドラム状のものであっても良い。
【００４３】
転写手段８は、本実施の形態においては、例えば、接触転写方式による転写ローラとして構成され、中間転写体１６と対向する転写位置に配置されており、中間転写体１６上に形成されたトナー像を転写紙Ｐにトナ像の極性とは逆極性の電荷を付与して静電気力で転写するための手段である。
【００４４】
なお、８Ｙ、８Ｍ、８Ｃ、８Ｋ（８Ｙのみ記号を付す。）は、同様の構成で、画像形成ユニット１１Ｙ、１１Ｍ、１１Ｃ、１１Ｋで形成されたトナー像を中間転写体１６に転写するために使用される転写手段である。
【００４５】
クリーニング手段９は、中間転写体１６に残存するトナーや紙粉等を除去するもので、ブレードやブラシローラ等により構成されている。９Ｙ、９Ｍ、９Ｃ、９Ｋ（９Ｙのみ記号を付す。）は、同様の構成で、画像形成ユニット１１Ｙ、１１Ｍ、１１Ｃ、１１Ｋの感光体ドラムをクリーニングするために使用されるクリーニング手段である。
【００４６】
定着装置１０は、詳細は後述するが、例えば、未定着トナー像に圧接される定着ベルトやヒータを内包する加熱ローラや加圧ローラ、あるいは外部加熱ローラ等で構成されており、転写紙Ｐに転写されたトナー像を熱と圧力等により溶融固着することにより定着するための手段である。
【００４７】
画像読取手段１３は、光源ＬＴ、ミラー群ＭＲ、結像レンズＬＺ等からなる読取光学系と、ＣＣＤ（固体撮像素子）等を含む電気回路からなる読取装置ＥＳとで、構成されている。
【００４８】
読取装置ＥＳは、筐体１の上部に設けられたプラテンガラス（図示せず）上に載置した原稿や、自動原稿送り装置３０により、読取位置に搬送された原稿の画像情報を読取り、画像データに変換して、制御手段ＥＣに設けられた記憶手段に画像データを記憶するようになっている。
【００４９】
また、ＡＤＦ３０により搬送された原稿を画像読取手段１３で読み取る場合は、読取位置に搬送された原稿を光源ＬＴが照射し、ミラー群ＭＲを介して、原稿からの反射光を結像レンズＬＺにより読取装置ＥＳのＣＣＤ面に結像させ、ＣＣＤの出力する画像情報を画像データとして記憶するようになっている。
【００５０】
給排紙手段１４は、給紙カセット１２と、駆動源としてのモータや複数のローラ等からなる給排紙搬送装置（転写紙搬送手段）として構成されている。
【００５１】
給紙カセット１２は、例えば、特殊な転写紙を収納するカセット１２ａと、普通紙を収納するカセット１２ｂ等とで構成されている。
【００５２】
給排紙手段１４としての給排紙搬送装置は、制御手段ＥＣの指示により、特殊な転写紙、あるいは普通紙を選択した後に、駆動源であるモータを回転させることにより、複数のローラ群等を回転駆動させて、給紙カセット１２から適切なタイミングで中間転写体１６に向けて給紙搬送し、定着装置１０でトナー像が溶融固着することにより定着され画像が形成された後に、排紙皿３へ排紙搬送するようになっている。
【００５３】
なお、給排紙搬送装置は、転写紙Ｐを給紙カセット１２からレジストローラＲ２に向けて搬送する搬送経路Ｘ１、手差し皿からレジストローラＲ２に向けて搬送する搬送経路Ｘ２、排紙ローラＨＲから排紙皿３に向けて搬送する搬送経路Ｘ４、及び、詳細は割愛するが、例えば転写紙Ｐの印字面を裏又は表（フェースダウン又はフェースアップともいう。）にして排紙皿３に排紙する搬送経路Ｘ３を備えると共に、両面モード等で転写紙Ｐを反転させる循環搬送経路Ａ〜Ｄ等を備えている。
【００５４】
中間転写体１６は、転写ベルトとも呼ばれ、複数のローラに張架されたベルト状の物で構成されており、本実施の形態においては、図示せぬモータ等の駆動源により、時計方向に回転するようになっている。
【００５５】
なお、中間転写体を用いる場合は、電気的特性（体積抵抗率、表面抵抗率等）、厚さ、構造（例えば、単層、２層、３層等の層数）、材料、材質等は、作像条件などにより適切なものを種々選択して採用することが望ましい。
【００５６】
ＡＤＦ３０は、搬送装置全体がＡＤＦ筐体３１で覆われ、ＡＤＦ筐体３１の外部に原稿載置台３２と排紙部３３が設けられている。
【００５７】
原稿載置台３２には、第１頁の原稿面（表面）を最上部にした状態の複数の原稿ＷＰが載置される。載置された原稿ＷＰは、複数のローラ等により構成される原稿搬送装置により読取位置に搬送され、読取装置ＥＳで読み取られ、排紙部３３に排紙される。
【００５８】
原稿搬送装置は、図示せぬ駆動制御回路により、画像形成装置２０の制御手段ＥＣと連動して作動するようになっている。
【００５９】
次に、図２により定着装置について説明する。
【００６０】
図２は本実施の形態における定着装置の構成図であり、（Ａ）図は定着装置の模式図、（Ｂ）図は普通紙への未定着トナー像の定着を重視した定着装置の諸元を示す諸元図、（Ｃ）図は厚紙への未定着トナー像の定着を重視した定着装置の諸元を示す諸元図、（Ｄ）図は比較例としての従来の定着装置の諸元を示す諸元図である。
【００６１】
（Ａ）図において、Ｔ１は発熱源として２つのメインヒータＨＡ、ＨＢと補助ヒータＨＣを内蔵する加熱ローラ、Ｔ２は定着ローラ、Ｔ３はヒータＨＤを内蔵する加圧ローラ、Ｔ４はヒータＨＥを内蔵する外部加熱ローラ、Ｔ５は定着ベルト、Ｓ１は加熱ローラ用の温度センサ、Ｓ３は加圧ローラ用の温度センサであり、Ｓ４は外部加熱ローラ用の温度センサある。
【００６２】
そして、定着ローラＴ２と加圧ローラＴ３が定着ベルトＴ５を介して圧接したとき、トナー像が転写された転写紙（図示せず）が定着ベルトＴ５と加圧ローラＴ３で形成される圧接部に挿入され、圧接部により加熱・加圧されて矢印Ｘ方向に通過することにより定着作動が行われるようになっている。
【００６３】
本実施の形態においては、各ローラの基材は、基本的には熱伝導性に優れたアルミニウム製の円筒体が用いられ、表層としては、ＰＦＡ（登録商標）によるチューブやコーティング等が使用されている。特に、定着ローラＴ２と加圧ローラＴ３は基材の外層にシリコンゴムやスポンジ等からなる弾性層が設けられ、その上に表層が設けられている。
【００６４】
また、定着ベルトＴ５は、例えば、ポリイミドフィルムからなる基材の上にシリコンゴム等の弾性層が設けられ、表層としてＰＦＡ（登録商標）チューブ等が使用されている。
【００６５】
なお、ＰＦＡ（登録商標）は、米国デュポン社のテフロン（登録商標）樹脂の一種で、例えば、連続使用温度２６０℃という特性等を有するパーフルオロアルコキシ樹脂をいう。
【００６６】
ヒータとしては、一般的なハロゲンランプを用い、加熱ローラＴ１には、異なったサイズの紙に対応するため、配光の異なったハロゲンランプＨＡ、ＨＢと、画像形成作動が行われない待機中の状態において、定着装置のローラ等の定着部材の温度維持および通紙開始直後の熱供給補助のため、概ね平坦で均一な配光のハロゲンランプＨＣが配置してある。
【００６７】
これらのヒータで使用可能な総消費電力は、画像形成装置本体に供給される電力のうち、画像情報に基づきトナー像を形成したり、転写紙を給排紙搬送したり、その他の出力作動の後処理のために使われる電力を除いたものである。本実施の形態においては、画像形成装置本体に３ｋＷが供給可能であり、そのうち、１ｋＷ弱が定着装置以外の装置の駆動制御に使用されているので、若干余裕を見て、２ｋＷを定着装置のヒータ用の電力（消費電力）として割り当てている。
【００６８】
画像形成装置は、その転写装置や定着装置の能力によって、使用可能な紙の斤量の範囲を設定しているが、この画像形成装置が想定する使用者によっては、より厚い紙や異なった紙に対応した方が望ましい場合がある。（Ｂ）図は通常のオフィス業務で使用する場合に適した構成である。すなわち、できるだけ加圧ローラの温度を高く保ち、定着ベルトと加圧ローラの温度差を少なくすることによって、通常の事務で使用される普通紙で顕著に発生する定着後の紙カール（紙の端部が湾曲することで、ひどい場合には円筒状になる）をなるべく抑えるような構成になっている。
【００６９】
軽印刷などでは、表層にコート層が設けられたコート紙が標準的に使用され、事務で使用される紙に比べて、大きな斤量まで定着できることが要求される。コート紙は定着ベルトと加圧ローラの温度差に対して発生するカール量が少ないので、加圧ローラの温度が多少低くなっても、定着ベルト側への熱供給を大きくし、大きな斤量でも温度低下しないように構成することが望ましい。この構成が（Ｃ）図である。定着ベルト側へより大きく電力供給されるので、厚い紙まで定着することが可能になる。
【００７０】
なお、斤量は坪量とも呼ばれており、所定面積当たりの質量で表され（ｋｇ／ｍ2）単位で示される。
【００７１】
なお、加熱ローラ用の温度センサＳ１は、定着ベルトＴ５の表面温度を検出して温度情報を出力し、制御回路により加熱ローラに内蔵するヒータＨＡ、ＨＢ及びＨＣを制御するためのものである。また、加圧ローラ用の温度センサＳ３は、加圧ローラＴ３の表面温度を検出して温度情報を出力し、制御回路により加圧ローラに内蔵するヒータＨＤを制御するためのものである。また、温度センサＳ４は、同様に、外部加熱ローラＴ４に内蔵するヒータＨＥを制御するためのものである。
【００７２】
本実施の形態における定着装置の作動について、簡単に説明する。
【００７３】
例えば、図示せぬモータ等の駆動源により加圧ローラＴ３が回転されることにより、定着ベルトＴ５を介して加熱ローラＴ１が回転され、加熱ローラＴ１に内蔵するヒータＨＡ、ＨＢ及びＨＣ等の熱が定着ベルトＴ５に伝導される。加圧ローラＴ３も内蔵するヒータＨＤにより加熱される。また、加圧ローラＴ３に当接する外部加熱ローラＴ４も従動回転し、外部加熱ローラＴ４に内蔵するヒータＨＥの熱が加圧ローラＴ３に伝導されるようになっている。
【００７４】
そして、定着ローラＴ２と定着ベルトＴ５を介して圧接する加圧ローラＴ３とで形成される圧接部にトナー像が転写された転写紙Ｐが挿通されたとき、圧接部の加熱と加圧により定着作動が行われるようになっている。
【００７５】
また、詳細は後述するが、制御手段である制御回路により、作動状態に応じて設定された優先度に従ってそれぞれのヒータは通電制御され、例えば、温度センサＳ１とＳ３により、加熱ローラＴ１上の定着ベルトＴ５の表面温度と加圧ローラＴ３の表面温度が検出され、それぞれ予め設定された設定温度を超えたと判断された場合は、それぞれのヒータへの通電が停止され、また、設定温度より低下したと判断された場合は通電されるようになっている。
【００７６】
次に、図２の（Ｂ）、（Ｃ）図を参照して、本発明に係る発熱源の通電制御について説明する。
【００７７】
本発明に係る発熱源の通電制御は、予め設定された許容消費電力の範囲内で、画像形成装置の作動状態に応じて設定された優先度に基づき効率的にそれぞれの発熱源に通電し加熱作動を行わせ、これらの発熱源により得られる定着温度をそれぞれの作動状態に適した温度に制御するものである。なお、ここでは、それぞれの発熱源から得られた定着作動に係る圧接部の温度を特に定着温度と言うことにする。
【００７８】
（Ｂ）図、（Ｃ）図は、左端の縦方向の欄に順に作動状態を示しており、例えば、画像形成装置の作動状態として、ウォーミングアップ（ＷＵ）、通紙開始直後、通紙中、待機中の４つの作動状態に区分したことをを示している。また、横方向には、発熱源であるヒータＨＡからＨＥを記号Ｈを省略してＡ〜Ｅとして示すと共に、前述したように、それぞれのヒータに対応してそれぞれの消費電力を記載している。
【００７９】
なお、作動状態におけるウォーミングアップ（ＷＵ）の状態とは、画像形成装置の電源が投入されたことにより、例えば、発熱源が点灯（通電）され定着温度が所定の温度になって、画像形成作動が行える状態になるまでの作動状態をいう。
【００８０】
通紙開始直後の状態とは、例えば、定着装置にトナー像が転写された転写紙が連続して挿通されることにより、転写紙による熱の吸収で圧接部の定着温度が急激に低下するような状態であり、後述する通紙中の状態における初期の定着作動状態をいい、定着装置の機能や性能等により前述の温度低下の状態や発生期間等にバラツキが生じることになるので、定着装置毎に、例えば、定着作動が開始されてから所定時間が経過するまで、あるいは、所定の枚数の定着が終了するまでのように、通紙開始直後の状態の条件を予め設定することが好ましい。
【００８１】
通紙中の状態とは、通紙開始直後の定着温度が急激に低下した状態から定着温度が回復し、例えば、定着温度が安定した状態で画像形成作動が行われている状態をいう。
【００８２】
待機中の状態とは、画像情報の入力等がなく、例えば、定着装置の加熱ローラＴ１や加圧ローラＴ３及び外部加熱ローラＴ４等の定着装置の発熱源を有する各部材が所定の温度を維持しながら、画像形成作動が所定時間行われなくなった状態をいう。
【００８３】
また、（Ｂ）図、（Ｃ）図の横方向の欄には、前述の作動状態毎にヒータＨＡからＨＥまでのそれぞれに対応して、◎、○、△、×の記号が記載されているが、これらの記号は、通電制御を行うためのそれぞれの発熱源であるヒータに対する優先度を示すものである。
【００８４】
すなわち、◎は、その作動状態において、まず第１に通電される第１の優先度が割り当てられた発熱源を示し、○は、次に通電される第２の優先度が割り当てられた発熱源を示し、△は、第２の優先度が割り当てられた発熱源が通電停止中に通電制御される第３の優先度が割り当てられた発熱源を示している。×は通電しない発熱源を示している。
【００８５】
また、第１、第２、及び第３の優先度が割り当てられた発熱源は、後述するように、制御手段により通電が開始された後は、センサ手段Ｓが検出した定着装置の、例えば、加圧ローラ等のローラ部材の表面温度に基づき、予め設定された設定温度を超えると通電が停止されるような通電制御が行われることになっている。
【００８６】
なお、第１の優先度が割り当てられた発熱源と第２の優先度が割り当てられた発熱源の違いは、第２の優先度が割り当てられた発熱源への通電の有無により、第３の優先度が割り当てられた発熱源への通電可否が決められることである。すなわち、第２優先度が割り当てられた発熱源への通電が行われている間は、第３の優先度が割り当てられた発熱源が維持しようとする加圧ローラや外部加圧ローラの温度によらず、第３の優先度が割り当てられた発熱源への通電を停止し、第２優先度が割り当てられた発熱源が非通電の状態にあるときだけ、第３の優先度が割り当てられた発熱源が維持しようとする加圧ローラや外部加圧ローラの温度によって、第３の優先度が割り当てられた発熱源の通電を制御する。
【００８７】
なお、（Ｂ）、（Ｃ）及び（Ｄ）図の右端の欄には、それぞれの作動状態で最大となる総消費電力を示しており、何れも所定の消費電力である２ｋＷ以下になるように制御されていることを示している。
【００８８】
（Ｄ）図は、本実施の形態と同じ構成の従来の通電制御における優先度の例を（Ｂ）、（Ｃ）図と同様の表記に従って示したものである。作動状態に応じて○と△の優先度が変化していない、つまりヒータＨＣとＨＤの優先度が固定されていることを示している。
【００８９】
（Ｂ）図の場合の通電制御について説明する。つまり、普通紙への未定着トナー像の定着を重視した場合（普通紙重視の場合ともいう。）の通電制御においては、ウォーミングアップ（ＷＵ）の状態では、第１の優先度が割り当てられた発熱源（◎）に加熱ローラＴ１の２つのメインヒータＨＡとＨＢ及び外部加熱ローラＴ４のヒータＨＥが設定され、第２の優先度が割り当てられた発熱源（○）として加圧ローラＴ３のヒータＨＤが設定されており、第３の優先度が割り当てられた発熱源（△）として加熱ローラＴ１の補助ヒータＨＣが設定されている。
【００９０】
つまり、ウォーミングアップ（ＷＵ）の状態では、画像形成装置の電源投入後は速やかに画像形成作動に移行できることが望ましく、条件として、定着装置全体を加熱して、できるだけ短時間に所定の定着温度にすることが望まれる。
【００９１】
そこで、画像形成装置の電源投入に連動してＨＡ、ＨＢ、ＨＥ及びＨＤのヒータが通電され、加熱ローラＴ１は消費電力も大きいが熱量も大きい２つのメインヒータＨＡ、ＨＢで急速に加熱し、弾性層を有し表面温度が上昇しにくい加圧ローラＴ３は内部からヒータＨＤで加熱すると共に、外部加熱ローラＴ４のヒータＨＥにより加圧ローラＴ３の表面を加熱している。このとき、加圧ローラＴ３のヒータＨＤより第３の優先度が割り当てられた発熱源である加熱ローラＴ１の補助ヒータＨＣは、加圧ローラＴ３のヒータＨＤが通電されている間は通電されないようになっている。
【００９２】
通紙開始直後の状態は、ウォーミングアップ（ＷＵ）の状態における優先度に対して、ＨＣとＨＤの優先度が変更され、第２の優先度が割り当てられた発熱源（○）として加熱ローラＴ１の補助ヒータＨＣが設定され、第３の優先度が割り当てられた発熱源（△）として加圧ローラＴ３のヒータＨＤが設定されている。
【００９３】
つまり、通紙開始直後は、加熱ローラＴ１の温度が定着ベルトＴ５の表面の温度と大差がないため、転写紙Ｐが熱を持ち去って生じる加熱ローラＴ１の温度と定着ベルトＴ５の表面の温度差により、定着ベルトＴ５の温度が低下する。この状態をなるべく早く解消するには、転写紙Ｐが熱を持ち去ることによって温度差が生じても、定着ベルトＴ５の温度が所定の値になるように、加熱ローラＴ１の温度を迅速に上昇させる必要がある。
【００９４】
そこで、ヒータに通電しても、表面まで熱が伝わるのが遅く、また定着ベルトＴ５の温度に比べれば定着性への影響が小さい加圧ローラＴ３のヒータＨＤの通電制御を停止し、ヒータＨＣへの通電制御を優先する。
【００９５】
加圧ローラＴ３の温度が低下すると、定着ベルトＴ５の温度が下がったときほどではないにしても、定着性が低下し、カール量も増加するため、加圧ローラＴ３の温度低下を抑制することが望ましいことはいうまでもない。
【００９６】
また、ヒータＨＥは、熱伝導性のよい外部加熱ローラＴ４に内蔵され、その外部加熱ローラＴ４が加圧ローラＴ３の表面に当接されているので、ヒータＨＥへの通電効果が時間遅れなく現れ、加圧ローラＴ３に内蔵したヒータＨＤよりも効率的であるため、通紙開始直後にも通電制御するようにした。
【００９７】
通紙中は、例えば、通紙開始直後から所定時間経過すれば、加熱ローラＴ２の温度は、定着ベルトＴ５の表面の所定温度に対して必要な温度勾配が得られるまで上昇するため、ヒータＨＡ，ＨＢで加熱ローラＴ１の温度を維持することができるので、ヒータＨＣへの通電制御を停止する。一方、通紙開始直後は供給熱量不足により温度低下する場合もある加圧ローラＴ３への熱供給量を増やすため、ヒータＨＤへの通電制御を行う。
【００９８】
通紙開始直後の状態から通紙中の状態への切り替えは、ヒータＨＣによる熱供給がなくても定着ベルトＴ５の温度が維持できるようになっていればよい。これは画像形成装置を実際に動作させて、例えば、ヒータＨＣによる熱供給が不要になる通紙開始後の経過時間を計測し、通紙開始後の経過時間によって切り替えるようにすればよい。通紙開始後の経過時間にかわり、通紙開始後の定着枚数で同様の計測、設定を行っても良い。また、センサＳ１の温度推移をもって同様の計測、設定を行っても良い。
【００９９】
待機中は、定着装置の各部材の温度を維持するだけなので大きな電力は必要ない。ヒータＨＡ，ＨＢは消費電力が大きく、通電開始時にハロゲンランプ特有の突入電流によって、フリッカと呼ばれる一時的な電源電圧の低下が発生する。フリッカは、画像形成装置と電源を同じくする室内の照明がちらつくなどの不具合を引き起こす。これを防止するため、待機中はヒータＨＡ，ＨＢを使わず、ヒータＨＣを用いて加熱ローラやベルトの温度を維持することが望ましい。
【０１００】
従って、省電を考慮した待機中の状態は他の作動状態と異なり、消費電力の大きなＨＡとＨＢの通電を停止し、第１の優先度が割り当てられた発熱源（◎）として加熱ローラＴ１の補助ヒータＨＣと加圧ローラＴ３のヒータＨＤ，及び外部加熱ローラＴ４のヒータＨＥが設定されている。
【０１０１】
つまり、待機中は、加圧ローラＴ３のヒータＨＤと外部加熱ローラＴ４のヒータＨＥに通電し、前述のように、急激な加熱が難しい加圧ローラＴ３の温度低下を防止すると共に、加熱ローラＴ１は補助ヒータＨＣに通電して温度の低下を防止している。
【０１０２】
勿論、待機中の状態にあるとき、画像情報が画像形成装置に入力された場合は、作動状態が通紙開始直後の状態における優先度に切り替わって通電制御されることになる。
【０１０３】
次に、（Ｃ）図の場合の通電制御について説明する。
【０１０４】
厚い紙への未定着トナー像の定着を重視した場合（厚紙重視の場合ともいう。）の通電制御においては、厚い紙として、例えば、コート紙（例えば斤量が２００×１０-3ｋｇ／ｍ2紙以上）を使用した場合は、熱容量が大きいため、より多くの熱量を定着ベルトＴ５から奪い、より大きな加熱ローラＴ１と定着ベルトＴ５の表面の温度差が生じる。このため、通紙開始直後の温度低下はより大きくなる。他方で、紙が厚いため、加圧ローラＴ３からの熱供給が定着性に及ぼす影響は、薄い紙に比べて小さく、コート紙はカールの発生が軽度であるため、加圧ローラＴ３の温度は多少低下しても不具合は少ない。
【０１０５】
また、定着ベルトＴ５の温度が高く維持できるため、例えば、搬送される転写紙と転写紙の間で定着ベルトＴ５と加圧ローラＴ３が接触することにより加圧ローラＴ３が定着ベルトＴ５から受け取る熱量は増え、内蔵するヒータＨＤからの熱供給がないことによる温度低下を緩和できる。
【０１０６】
また、電力を、さらに定着ベルトＴ５の温度低下抑制に振り向けることが好適であり、外部加熱ローラＴ４に内蔵したヒータＨＥの電力分も通紙開始直後には加熱ローラＴ１への供給電力に加えられるよう、厚紙を重視した構成ではＨＣ≒ＨＤ＋ＨＥの関係になるように設定した。
【０１０７】
つまり、第２の優先度が割り当てられた発熱源（○）と第３の優先度が割り当てられた発熱源（△）との優先度が変更される発熱源の消費電力をほぼ等しくなるように設定したので、第２と第３の優先度が割り当てられた発熱源に対して優先度の割り当てが変更されても所定の消費電力の範囲内に抑制することが容易に行えるようになっている。
【０１０８】
そして、ウォーミングアップ（ＷＵ）の状態では、第２の優先度が割り当てられた発熱源（○）としてＨＤとＨＥを設定し、第３の優先度が割り当てられた発熱源（△）としてＨＣを設定した。また、通紙開始直後の状態では、第２の優先度が割り当てられた発熱源（○）としてＨＣを設定し、第３の優先度が割り当てられた発熱源（△）としてＨＤとＨＥを設定した。
【０１０９】
また、通紙中の状態は、ウォーミングアップ（ＷＵ）の状態での優先度と同じ優先度が割り当てられるように設定し、待機中の状態は、ヒータＨＡ、ＨＢへの通電制御を停止した。
【０１１０】
以上、普通紙重視の場合の通電制御を行う定着装置と、厚紙重視の場合の通電制御を行う定着装置について説明したが、次に、加熱ローラＴ１の補助ヒータＨＣを２個設け、２個のヒータをそれぞれ切り換えて使用することで普通紙重視と厚紙重視の場合の通電制御を行うことができるようにした定着装置について説明する。
【０１１１】
図３に示す定着装置は、図２の（Ａ）図と基本的な構成は同じであるが、加熱ローラＴ１には補助ヒータとして、普通紙重視の場合に使用するヒータＨＣ１と、厚紙重視の場合に使用するヒータＨＣ２が設けられている。なお、図２の（Ａ）図と符号が同じものは同じ物を示すものとする。
【０１１２】
また、本実施の形態における定着装置のヒータの消費電力は、図２の普通紙重視の場合の（Ｂ）図および厚紙重視の場合の（Ｃ）図に示すように、転写紙Ｐが普通紙か厚紙かにより、消費電力配分が異なるようにしている。
【０１１３】
詳細は後述するが、ヒータＨＣ１とＨＣ２は転写紙Ｐが普通紙か厚紙かにより切り換えられて使用されるので同時に通電されることはない。例えば、転写紙として普通紙を使用する場合はヒータＨＣ１を使用し、図２の（Ｂ）図のヒータＨＣをＨＣ１とする優先度が割り当てられて通電制御が行われる。また、転写紙として厚紙を使用する場合はヒータＨＣ２を使用して図２の（Ｃ）図のヒータＨＣをＨＣ２とする優先度が割り当てられて通電制御が行われる。
【０１１４】
従って、本実施の形態における定着装置は、転写紙として普通紙を使用するか厚紙を使用するかによって、ヒータＨＣ１とＨＣ２を切り換えて使用することにより、容易に、普通紙重視の場合の通電制御と厚紙重視の場合の通電制御をそれぞれ行うことができるようになっている。
【０１１５】
つまり、転写紙Ｐが厚紙の場合は、転写紙Ｐが普通紙の場合より転写紙の厚みが厚いことにより熱伝導性が良くないのでトナー像を容易に定着できるように、転写紙が矢印Ｘ方向に挿入されるとすると、例えば、転写紙上のトナー像側に位置する加熱ローラＴ１の熱容量を上げるために、ヒータＨＣ１の消費電力が普通紙重視の場合のヒータＨＣ２の消費電力より大きくなるようにしている。
【０１１６】
本実施の形態においては、例えば、普通紙重視の場合の通電制御を普通紙モード、厚紙重視の場合の通電制御を厚紙モードと呼ぶことにすると、転写紙Ｐとして普通紙を使用する普通紙モードの場合は（Ｂ）図の諸元図に示すように、加熱ローラＴ１に内蔵するメインヒータＨＡが８１０Ｗ、ＨＢが６４０Ｗ、補助ヒータＨＣ１が３００Ｗ、加圧ローラＴ３に内蔵するヒータＨＤが３００Ｗ、外部加熱ローラＴ４に内蔵するヒータＨＥは２５０Ｗに設定されている。
【０１１７】
また、転写紙Ｐとして厚紙を使用する厚紙モードの場合は、（Ｃ）図の諸元図に示すように、加熱ローラＴ１に内蔵するメインヒータＨＡが８１０Ｗ、ＨＢが６４０Ｗ、加圧ローラＴ３に内蔵するヒータＨＤが３００Ｗ、外部加熱ローラＴ４に内蔵するヒータＨＥは２５０Ｗに設定され、補助ヒータＨＣ２が５５０Ｗと普通紙モードより２５０Ｗ大きく設定されている。
【０１１８】
そして、普通紙モードの場合の総消費電力は２３００Ｗ、厚紙モードの場合の総消費電力は２５５０Ｗとなり、前述のように、割り当てられた定着装置のヒータ用の消費電力である許容消費電力が２ｋＷとすると、普通紙モードの場合は３００Ｗ超過することになり、厚紙モードの場合は５５０Ｗ超過することになるが、ヒータＨＣ１とＨＣ２は転写紙Ｐが普通紙か厚紙かにより切り換えて使用され、また、それぞれのヒータは作動状態に応じて優先度が割り当てられているので、全てのヒータが同時に通電され点灯することがないので、このようなヒータの消費電力配分であっても問題となることはない。
【０１１９】
なお、本実施の形態におけるそれぞれのヒータに設定した優先度は、予め設定された許容消費電力の範囲内で、転写材の厚みや画像形成装置の作動状態に応じて効率的にそれぞれの発熱源に通電し加熱作動を行わせ、それぞれの作動状態に適した定着温度が得られるようにすれば良く、これに限定するものではない。
【０１２０】
図４により、本発明に係る画像形成装置の回路構成について簡単に説明する。なお、本実施の形態においては、画像形成装置が複写機である場合について説明する。
【０１２１】
１００は画像形成装置２０全体の各種手段と回路との構成を示している。１１０は画像形成装置全体の制御を行うＣＰＵであり、画像形成装置２０を制御するための各種モードのプログラムやプログラムを実行するために必要なデータ等が予め記憶されている。
【０１２２】
ＣＰＵ１１０には、情報制御回路１２０、画像処理回路１４０、駆動制御回路１５０および電源回路４００等が接続されている。そして、これらの回路により図１に示す制御手段ＥＣが構成され、画像形成装置２０全体の制御ができるようになっている。
【０１２３】
情報制御回路１２０は、ＣＰＵ１１０の指示により、インタフェース（Ｉ／Ｆ）１３０を介して外部情報機器５００と接続して、文字や画像等の画像情報や画像形成等に必要な濃度や倍率等の設定情報を入力し記憶手段１６０に記憶する。そして、記憶手段１６０に記憶された設定情報等を画像処理回路１４０や駆動制御回路１５０、あるいは表示手段３００等に出力するようになっている。
【０１２４】
また、情報制御回路１２０は、外部情報機器５００から入力した画像情報や設定情報等からなるＪＯＢ情報の他に、画像処理回路１４０や駆動制御回路１５０等を含む回路や各種手段の作動に必要な指示情報に関連する、例えば、操作入力手段２００で入力された各種情報や装置の各種手段が作動中に出力する作動状態を示す情報等を判断し、画像形成装置の作動に支障がないように、適宜円滑に画像形成装置の各回路や各種手段に情報を伝達する機能を有している。
【０１２５】
なお、外部情報機器５００は、主としてコンピュータやインターネット・サーバーであるが、場合によっては、ローカル・エリア・ネットワーク（ＬＡＮ）上の他の画像形成装置、あるいは、デジタル・カメラや計測した情報を出力可能な計測装置等の情報機器が想定される。
【０１２６】
また、本実施の形態においては、ＣＰＵ１１０の指示により情報制御回路１２０は、画像形成装置の作動状態を複数の作動状態に区分し、区分された作動状態毎に、定着装置の個々の発熱源（ヒータＨＡ〜ＨＥ）に対して予め設定された優先度に基づいて、駆動制御回路１５０を介して定着装置１０の発熱源への通電制御を行うようになっている。
【０１２７】
インタフェース（Ｉ／Ｆ）１３０は、情報授受手段であり、前述のコンピュータや他の画像形成装置、インターネット・サーバー等の外部情報機器５００と各種ネットワークを介して接続できるように構成されている。
【０１２８】
操作入力手段２００は、画像形成装置２０のコントロールパネルＣＰに設けられた入力装置である。前述したタッチパネル式の表示手段である液晶表示装置ＤＰやキーボードＫＢ、及び、スタート釦ＳＫ等が想定される。
【０１２９】
例えば、キーボードＫＢを操作することにより、転写材（転写紙ともいう。）の出力枚数や種類（例えば、インデックス用紙、厚紙、普通紙、薄紙、再生紙、ＯＨＰシート等）、あるいは拡大縮小等の倍率や出力画像の濃度等の設定情報が入力できるようになっている。
【０１３０】
また、操作入力手段２００は、場合によっては、画像形成装置２０の各種作動モード、例えば、コピー作動を行う場合に選択設定されるカラーモード、白黒モード、あるいは片面モード、両面モード等のモードを設定するための入力手段にもなる。
【０１３１】
特に、普通紙重視の場合の通電制御を普通紙モード、厚紙重視の場合の通電制御を厚紙モードということにすると、本実施の形態においては、転写紙が普通紙か厚紙かにより、定着装置のヒータＨＣ１とＨＣ２が切れ換えられると共に、発熱源の優先度等の設定が切り換えられて、普通紙モードまたは厚紙モードの通電制御が行えるようになっている。
【０１３２】
表示手段３００は、前述の液晶表示装置、あるいは、液晶表示部にタッチパネル等が組み込まれた表示装置ＤＰ等により構成されている。
【０１３３】
表示手段３００には、操作入力手段２００で情報を入力する際の操作手順や各種情報の一覧表示、あるいは記憶手段１６０に記憶された情報の表示、画像形成装置２０の作動中の状態表示や警告表示等が表示されるようになっている。
【０１３４】
画像処理回路１４０は、ＣＰＵ１１０の指示により、画像読取手段１３が読み取った原稿の画像情報を画像データとして記憶手段１６０に記憶させたり、記憶手段１６０に記憶されている画像データに基づき画像形成手段１１が画像を形成する際に、画像形成手段１１の画像形成方式に適したデータや信号等に変換する回路である。
【０１３５】
駆動制御回路１５０は、ＣＰＵ１１０の指示により、画像処理回路１４０と協働して、転写手段８、定着装置（定着手段）１０、画像形成手段１１、画像読取手段１３、給排紙手段１４、及び、ＡＤＦ３０等を、予め設定された作動モードに基づき、適切なタイミングで作動させ画像形成作動を行なわせるための回路である。
【０１３６】
記憶手段１６０は、画像を形成するために必要な画像データ及び画像形成装置２０を制御するための設定条件等からなるＪＯＢ情報やｊＯＢ情報に関連するＪＯＢデータ、及び、各種設定モードのプログラム等の情報を記憶するようになっている。
【０１３７】
本実施の形態においては、特に、画像形成装置の作動状態を複数の作動状態に区分し、区分された作動状態毎に、且つ、普通紙モードや厚紙モードの通電制御モードに対応して、定着装置の個々の発熱源（ヒータＨＡ〜ＨＥ）に対して予め設定された優先度が、例えば、マトリクスとして記憶されている。
【０１３８】
従って、定着温度を制御する場合は、ＣＰＵ１１０の指示により、情報制御回路１２０が画像形成装置の作動状態を判断して、作動状態毎に記憶されている個々の発熱源の優先度を読み出し、読み出された発熱源の優先度に基づいて、駆動制御回路１５０を介して定着装置１０の発熱源への通電制御が行われるようになっている。
【０１３９】
なお、転写手段８、定着手段１０、画像形成手段１１、画像読取手段１３、給排紙手段１４、及び、ＡＤＦ３０については、詳細は割愛し、ここでは回路に関連する事項について簡単に説明する。
【０１４０】
画像読取手段１３は、駆動制御回路１５０により作動され、読取位置に搬送された原稿の画像情報を読取装置ＥＳで読み取り、読み取られた画像情報は、例えば、画像処理回路１４０により、画像データに変換して、記憶手段１６０に記憶するようになっている。
【０１４１】
画像形成手段１１は、ＣＰＵ１１０の指示により、駆動制御回路１５０により作動され、画像処理回路１４０が記憶手段１６０に記憶された画像データに基づき、それぞれの画像形成ユニット１１Ｙ、１１Ｍ、１１Ｃ、１１Ｋで、それぞれの色のトナー像を像担持体（感光体ドラム５）に形成して、形成されたトナー像を中間転写体１６に転写するようになっている。
【０１４２】
転写手段としての転写ローラ８は、駆動制御回路１５０により作動され、中間転写体１６に重ね合わされたトナー像の極性とは逆極性の電荷を付与して転写紙Ｐにトナー像を転写する作動を行うようになっている。なお、８Ｙ、８Ｍ、８Ｃ、８Ｋは画像形成ユニット１１Ｙ、１１Ｍ、１１Ｃ、１１Ｋで、感光体ドラム５に形成されたトナー像を中間転写体１６に転写する作動を行う。
【０１４３】
定着装置１０は、駆動制御回路１５０の指示により、本実施の形態においては、前述のように、普通紙モードや厚紙モードの通電制御モードに対応して、区分された作動状態毎に、定着装置の個々の発熱源（ヒータＨＡ〜ＨＥ）に対して予め設定された優先度に基づいて、それぞれ個々の発熱源への通電制御が行われ、転写紙Ｐに転写されたトナー像を定着装置の圧接部の熱と圧力等により溶融固着することにより定着するようになっている。
【０１４４】
給排紙手段１４は、ＣＰＵ１１０に予め設定されたプログラムに基づき、駆動制御回路１５０により、転写手段８、定着装置１０、及び画像形成ユニット１１等と協働して作動し、転写紙Ｐを円滑にタイミング良く搬送する作動を行う。
【０１４５】
自動原稿送り装置（ＡＤＦ）３０は、図１に示すように、原稿載置台３２に載置された原稿を原稿搬送装置により自動的に１枚づつ読取位置に搬送する装置で、画像形成装置２０のＣＰＵ１１０の指示により、駆動制御回路１５０と連携して作動する。
【０１４６】
センサ手段Ｓは、本実施の形態においては非接触式の温度センサを用いており、例えば、加熱ローラ用温度センサＳ１と加圧ローラ用温度センサＳ３と、外部加熱ローラ用温度センサＳ４とを備えている。
【０１４７】
なお、温度センサＳは、市販の温度センサで良く、接触式の温度センサでもよいが、ローラ等に損傷を与えることの少ない非接触温度センサが好ましく、検出した表面温度に対応して出力する電流や電圧を出力値（温度情報）として記憶手段１６０に記憶できるようにすることが望ましい。
【０１４８】
電源回路４００は、使用者の操作により、電源スイッチ（図示せず）が投入されると、電源から適切な通電が画像形成装置全体に行われ、電源スイッチが遮断されると、通電が遮断されるようになっている。
【０１４９】
なお、電源スイッチが投入（ＯＮ）されていても、例えば、画像形成装置を待機状態にする省電モード等の場合は、ＣＰＵ１１０の指示により、一時的なメモリの記憶内容等の保存のために必要な通電のみを継続し、定着装置のヒータ等の他の通電を遮断することができるようになっている。
【０１５０】
また、電源スイッチにより電源が遮断（ＯＦＦ）された場合も、前述の画像形成装置を待機状態にする省電モード等の場合のように、全ての電源を遮断するのではなく、ＣＰＵ１１０等が作動するために必要な通電は行い、電源スイッチが投入（ＯＮ）されたり、ＬＡＮを介して画像情報が入力された場合等に対応して、素早く画像形成作動等が開始できるようにしても良い。
【０１５１】
次に、図５により定着装置のそれぞれのヒータに対する通電制御の手順を説明する。
【０１５２】
前提として、前述のように普通紙重視の場合の通電制御を普通紙モードと言い、厚紙重視の場合の通電制御を厚紙モードと呼ぶものとし、画像形成装置は複写機とする。また、定着装置の構成は図３に示すものとする。
【０１５３】
従って、ここでは普通紙モードと厚紙モードが切り換えられる定着装置に関して説明するが、普通紙モードと厚紙モードをそれぞれ別個に制御する場合も転写紙が普通紙か厚紙かを判断し、その判断に基づいて実行される部分を除けば、基本的には同じ手順である。なお、厚紙モードの手順は、普通紙モードの場合と異なる部分に関してのみ説明することにした。
【０１５４】
画像形成装置のそれぞれの作動状態に応じて設定された普通紙モードの場合のヒータの優先度等の諸元は図２の（Ｂ）とし、厚紙モードにおけるヒータの優先度等の諸元は図２の（Ｃ）とする。
【０１５５】
なお、説明を簡単にするために、それぞれの作動状態において第１の優先度が割り当てられた発熱源（◎）の通電制御に関する説明は省略する。以下、図１乃至図４を適宜に参照して具体的に説明する。
【０１５６】
（ＳＴ１）
普通紙モードか否かを判断するステップである。本実施の形態においては、使用する転写紙が普通紙か厚紙かにより通電制御モードが普通紙モードまたは厚紙モードに切り換えられる。また、普通紙モードか厚紙モードかにより、画像形成装置の作動状態毎にそれぞれのヒータに設定される優先度も異なる。
【０１５７】
従って、このステップは、使用する転写紙が普通紙か厚紙かを確認するために、例えば、電源投入直後、あるいは、１つのＪＯＢが実行されるたびに、まず最初に実行されるステップである。
【０１５８】
情報制御回路１２０は設定されている転写紙が普通紙か厚紙かを確認し、普通紙の場合は普通紙モードを設定するためにＳＴ２に進み、普通紙モードでない場合、つまり厚紙モードの場合はＳＴ３に進む。
【０１５９】
なお、転写紙が普通紙か厚紙かの情報は、給紙カセットから自動的に転写紙の情報が得られるようにしても良いし、操作入力手段で設定するようにしても良い。
【０１６０】
（ＳＴ２）
普通紙用ヒータ設定、つまり、普通紙モード用の優先度を作動状態毎に各ヒータに設定するステップである。例えば、情報制御回路１２０は、図２の（Ｂ）に対応する普通紙モードにおける優先度に関するデータを制御回路の記憶手段１６０から読み出し、駆動制御回路１５０を介して図３の定着装置の補助ヒータＨＣ１に通電できるように設定すると共に、読み出された優先度に応じて、それぞれの発熱源への通電制御を開始できるように設定して、ＳＴ４に進む。
【０１６１】
（ＳＴ３）
厚紙用ヒータ設定、つまり、厚紙モード用の優先度を作動状態毎に各ヒータに設定するステップである。ＳＴ２と同様に、情報制御回路１２０は記憶手段１６０から図２の（Ｃ）に対応する厚紙モードにおける優先度に関するデータを読み出し、仮に図３の定着装置の補助ヒータＨＣ１に通電できるように設定されている場合は、駆動制御回路１５０を介して補助ヒータＨＣ２に通電できるように切り換えて、それぞれの発熱源への通電制御を開始できるように設定して、ＳＴ４に進む。
【０１６２】
（ＳＴ４）
ウォーミングアップ（ＷＵ）状態か否かを判断するステップである。情報制御回路１２０は画像形成装置の作動状態を検出し、ウォーミングアップ（ＷＵ）中であることが検出された場合はＳＴ５に進み、ウォーミングアップ（ＷＵ）中の状態でなかった場合はＳＴ６に進む。
【０１６３】
（ＳＴ５）
ＨＣ通電停止、つまり、ウォーミングアップ（ＷＵ）の状態では、第３の優先度が割り当てられた発熱源（△）として加熱ローラＴ１の補助ヒータＨＣが設定されるので、第２の優先度が割り当てられた発熱源（○）が通電されている間は、補助ヒータＨＣに対して通電を停止するように制御されるステップである。
【０１６４】
なお、以下、補助ヒータＨＣという場合は、普通紙モードの場合はＨＣ１（３００Ｗ）であり、厚紙モードの場合はＨＣ２（５５０Ｗ）を示すものとする。
【０１６５】
情報制御回路１２０は記憶手段１６０からウォーミングアップ（ＷＵ）の状態に対応する優先度を読み出し、各ヒータに優先度を設定し、駆動制御回路１５０を介して定着装置のそれぞれのヒータへの優先度に応じた通電制御を開始してＳＴ６に進む。
【０１６６】
（ＳＴ６）
通紙開始直後の状態か否かを判断するステップである。情報制御回路１２０は画像形成装置の作動状態を検出し、通紙開始直後の状態であることが検出された場合はＳＴ７に進み、通紙開始直後の状態でなかった場合はＳＴ１０に進む。
【０１６７】
（ＳＴ７）
普通紙モードか否かを判断するステップである。つまり、通紙開始直後の状態においては、普通紙モードと厚紙モードでは、前述のように、ヒータの消費電力配分が異なり、優先度の設定も異なるので、適切な優先度を各ヒータに設定するために、通電制御モードを確認するためのステップである。
【０１６８】
情報制御回路１２０は設定されている通電制御モードを確認し、普通紙モードの場合はＳＴ８に進み、普通紙モードでない場合、つまり厚紙モードの場合はＳＴ９に進む。
【０１６９】
（ＳＴ８）
ＨＤ通電停止、つまり、普通紙モードで通紙開始直後の状態では、第３の優先度が割り当てられた発熱源（△）として加圧ローラＴ３のヒータＨＤが設定されるので、第２の優先度が割り当てられた発熱源（○）が通電されている間は、補助ヒータＨＤに対して通電を停止するように制御されるステップである。
【０１７０】
情報制御回路１２０は記憶手段１６０から普通紙モードで通紙開始直後に対応する優先度を読み出し、各ヒータに優先度を設定し、駆動制御回路１５０を介して定着装置のそれぞれのヒータへの優先度に応じた通電制御を開始してＳＴ１０に進む。
【０１７１】
（ＳＴ９）
ＨＤ，ＨＥ通電停止、つまり、厚紙モードで通紙開始直後の状態では、第３の優先度が割り当てられた発熱源（△）として加圧ローラＴ３のヒータＨＤと外部加熱ローラＴ４のヒータＨＥが設定されるので、第２の優先度が割り当てられた発熱源（○）が通電されている間は、補助ヒータＨＤとヒータＨＥに対して通電を停止するように制御されるステップである。
【０１７２】
情報制御回路１２０は記憶手段１６０から厚紙モードで通紙開始直後に対応する優先度を読み出して、各ヒータに優先度を設定し、駆動制御回路１５０を介して定着装置のそれぞれのヒータへの優先度に応じた通電制御を開始してＳＴ１０に進む。
【０１７３】
（ＳＴ１０）
通紙中の状態か否かを判断するステップである。情報制御回路１２０は画像形成装置の作動状態を検出し、通紙中の状態であることが検出された場合はＳＴ１１に進み、通紙中の状態でなかった場合はＳＴ１２に進む。
【０１７４】
（ＳＴ１１）
ＨＣ通電停止、つまり、通紙中の状態では、ＳＴ５のウォーミングアップ（ＷＵ）の状態と同様に、第３の優先度が割り当てられた発熱源（△）として加熱ローラＴ１の補助ヒータＨＣが設定されるので、第２の優先度が割り当てられた発熱源（○）が通電されている間は、補助ヒータＨＣに対して通電を停止するように制御されるステップである。
【０１７５】
情報制御回路１２０は記憶手段１６０から通紙中に対応する優先度を読み出し各ヒータに優先度を設定して、駆動制御回路１５０を介して定着装置のそれぞれのヒータへの優先度に応じた通電制御を開始してＳＴ１２に進む。
【０１７６】
（ＳＴ１２）
待機中の状態か否かを判断するステップである。情報制御回路１２０は画像形成装置の作動状態を検出し、待機中の状態であることが検出された場合はＳＴ１３に進み、待機中の状態でなかった場合はＳＴ１４に進む。
【０１７７】
（ＳＴ１３）
ＨＡ、ＨＢ通電停止、つまり、待機中の状態は他の作動状態と異なり、定着温度を低下させないように、且つ省電を考慮して、消費電力の大きなＨＡとＨＢの通電を停止し、必要最低限の通電を行うようにしている。
【０１７８】
そのため、第１の優先度が割り当てられた発熱源（◎）として加熱ローラＴ１の補助ヒータＨＣと加圧ローラＴ３のヒータＨＤ，及び外部加熱ローラＴ４のヒータＨＥが設定されているが、第２の優先度が割り当てられた発熱源（○）や第３の優先度が割り当てられた発熱源（△）が設定されていない。
【０１７９】
情報制御回路１２０は記憶手段１６０から待機中に対応する優先度を読み出し、各ヒータに優先度を設定し、駆動制御回路１５０を介して定着装置のそれぞれのヒータへの優先度に応じた通電制御を開始してＳＴ１４に進む。
【０１８０】
（ＳＴ１４）
作動終了か否かを判断するステップである。情報制御回路１２０は、例えば、操作入力手段２００等により画像形成装置の作動終了が設定されているか否かを検出し、作動終了が設定されていた場合はＳＴ１５に進み、作動終了が設定されていない場合は作動を継続すると判断してＳＴ１に戻る。
【０１８１】
（ＳＴ１５）
全通電遮断、つまり、制御回路のＣＰＵ１１０は、電源回路４００を作動させ、定着装置のヒータ等を含め全ての装置への通電を遮断し画像形成装置の作動を終了する。
【０１８２】
なお、以上に説明した定着装置の発熱源に対する通電制御の手順は一例であり、作動モードや作動状態に応じて設定された優先度に基づいて通電制御を行うようにすれば良く、これに限定されるものではない。
【０１８３】
以上のように、転写紙が普通紙か厚紙かにより普通紙モードと厚紙モードを切り換えて通電制御を行う手順を説明したが、普通紙モードまたは厚紙モードをそれぞれ単独で行う場合は、例えば、普通紙モードか厚紙モードかを判断するステップ等を除けば、基本的には同じ手順で行えるものである。
【０１８４】
また、普通紙モードや厚紙モードのように通電制御モードに応じて制御できるように、且つ、作動状態に応じて制御できるように発熱源の優先度を変更して設定することにより、更に、定着不良等の発生を防止でき、高品位な画像形成ができる画像形成装置を提供できることになる。
【０１８５】
図６により、簡単に画像形成装置の作動状態のフローについて説明する。
【０１８６】
前提条件として、画像形成装置は複写機とし、複写機の電源が投入され、画像形成が行われ、電源が遮断されるまでの作動中の状態を区分したウォーミングアップ（ＷＵ）の状態、通紙開始直後の状態、通紙中の状態、待機中の状態について、それぞれ個々には説明してきたが、ここでは一連の作動状態のフロー（流れ）に従ってその関連を説明する。
【０１８７】
（ＳＴ１０１）
電源を投入するステップである。画像形成装置の電源が投入されると、制御回路ＥＣのＣＰＵ１１０が起動し、予め設定された作動プログラムにより画像形成装置の各種手段はコピーができる作動状態になるように制御が開始されＳＴ１０２に進む。
【０１８８】
（ＳＴ１０２）
ウォーミングアップ（ＷＵ）の状態である。定着装置においては、できるだけ短時間に所定の定着温度になるように、作動状態に対応して予め設定された優先度でそれぞれのヒータに通電してＳＴ１０３へ進む。
【０１８９】
（ＳＴ１０３）
定着装置が所定の定着温度になったか否かを判別するステップである。例えば、温度センサＳにより定着装置の温度が検出され、所定の定着温度になったと判断された場合はウォーミングアップ（ＷＵ）の状態が完了したものとしてＳＴ１０４に進み、所定の定着温度になっていないと判断された場合は、ウォーミングアップ（ＷＵ）の状態を継続するためにＳＴ１０２に戻る。
【０１９０】
（ＳＴ１０４）
待機中の状態である。ウォーミングアップ（ＷＵ）の状態が完了した後に、あるいは、１つのＪＯＢとしてのコピーが完了した後に、次のＪＯＢである画像情報が入力されるのを待っている状態である。定着装置は所定の定着温度を維持するように、作動状態に対応して予め設定された優先度でそれぞれのヒータに通電してＳＴ１０５へ進む。
【０１９１】
（ＳＴ１０５）
コピーを開始するか否かを判断するステップである。例えば、ＣＰＵ１１０はＪＯＢである画像情報が入力されたことが検出されると、入力された画像情報に基づき感光体ドラム上に静電潜像を形成し、トナーで現像され転写紙上に転写されたトナー像を定着装置により定着し、その後排紙される一連のコピー作動を開始するように、例えば、駆動制御回路１５０等に指示してＳＴ１０６に進み、画像情報が入力されない場合は、待機中の状態を継続するためにＳＴ１０４に戻る。
【０１９２】
（ＳＴ１０６）
通紙開始直後の状態である。コピーが開始され、転写紙による熱の吸収で圧接部の定着温度が急激に低下するような状態であり、低下した定着温度を回復するために、作動状態に対応して予め設定された優先度でそれぞれのヒータに通電してＳＴ１０７へ進む。
【０１９３】
（ＳＴ１０７）
通紙条件が満足された否かを判断するステップである。つまり、通紙条件が満足されたか否かを判断することにより通紙開始直後の状態から通紙中の状態に移行させるか否かを判断するステップである。
【０１９４】
通紙中の状態に移行するための条件を通紙条件とすると、定着装置に最初に画像が形成された転写紙の通紙が開始されてから所定時間が経過するまで、または所定枚数の通紙が完了するまで、または転写紙の通紙が開始され通紙された転写紙の熱吸収により低下した前記定着装置の温度が所定の温度に回復するまでの何れかの状態を通紙開始直後の状態とする通紙条件を設定し、この条件を超えた場合は通紙条件が満足されたと判断してＳＴ１０８に進み、通紙条件が満足されていない場合は通紙開始直後の状態を継続するために、作動状態に対応して予め設定された優先度でそれぞれのヒータに通電してＳＴ１０６に戻る。
【０１９５】
なお、通紙条件が満足されたか否かを判断する場合は、例えば、時間を計数するタイマー等の計時手段や、コピー枚数を計数するカウンタ等の計数手段、あるいは、温度センサにより検出された温度の温度推移等を判断する回路等を設けて、上記の通紙条件が満足されたか否かを判断するようにすることが好ましい。
【０１９６】
（ＳＴ１０８）
通紙中の状態である。通紙開始直後の状態を経てコピーが継続して行われており、定着装置が所定の定着温度を維持し、定着不良等が発生しないようにするために、作動状態に対応して予め設定された優先度でそれぞれのヒータに通電してＳＴ１０９に進む。
【０１９７】
（ＳＴ１０９）
コピー終了か否かを判断するステップである。例えば、１つのＪＯＢとして入力された画像情報に基づく画像形成作動であるコピーが終了するとＳＴ１１０に進み、コピーが継続中である場合は、通紙中の状態を継続するために、作動状態に対応して予め設定された優先度でそれぞれのヒータに通電してＳＴ１０８に戻る。
【０１９８】
（ＳＴ１１０）
作動終了か否かを判断するステップである。画像形成装置の作動を終了する場合はＳＴ１１１に進み、画像形成装置の作動が継続される場合は作動中の状態を継続するためにＳＴ１０４に戻る。
【０１９９】
（ＳＴ１１１）
電源を遮断して画像形成装置の作動を終了するステップである。電源が遮断されると画像形成装置の全ての作動が終了する。
【０２００】
本実施の形態においては、画像形成装置が電源を投入されてから電源が遮断されるまでの一連の画像形成作動状態を上記のように判断して、ウォーミングアップ（ＷＵ）の状態、通紙開始直後の状態、通紙中の状態、待機中の状態の４つの作動状態に区分し、区分された作動状態に対応して予め設定された優先度で定着装置のそれぞれのヒータに通電制御するようにしている。
【０２０１】
以上に説明した本実施の形態における画像形成装置における定着装置の発熱源に対する通電制御に関し、適宜図１乃至図７を参照して、下記条件での実験した実施例と比較例との実験結果について説明する。
【実施例】
【０２０２】
（Ａ）実施例（本実施の形態の定着装置）
（１）条件
・定着装置の構造…図２の（Ａ）図参照。
・定着装置の発熱源（ヒータ）の諸元…図２の（Ｂ）図参照。
・定着装置の発熱源の優先度：作動状態毎に優先度を変更。…図２の（Ｂ）図参照。
・転写紙：普通紙（１２８×１０-3ｋｇ／ｍ2）
・優先度
（Ｂ）比較例（従来の定着装置）
（１）条件
・定着装置の構造…図２の（Ａ）図参照。
・定着装置の発熱源（ヒータ）の諸元…図２の（Ｄ）図参照。
・定着装置の発熱源の優先度：優先度固定。…図２の（Ｄ）図参照。
・転写紙：普通紙（１２８×１０-3ｋｇ／ｍ2）
図７は縦軸に温度（℃）、横軸に時間（ｓ；秒）を示し、ウォーミングアップ（ＷＵ）が終了し通紙が開始された直後、すなわち通紙開始直後の状態を約１００秒間記録したときの定着ベルトの表面温度（Ａａ、Ｂａ）と加圧ローラの表面温度（Ａｂ、Ｂｂ）を示したグラフである。
【０２０３】
（Ａ）図は比較例を示し、従来の定着装置における発熱源の優先度が固定された状態での通電制御によるグラフで、（Ｂ）図は実施例を示し、本実施の形態の定着装置における発熱源の優先度が作動状態毎に変更された状態での通電制御によるグラフである。
【０２０４】
実験は、上記条件で行い、比較例（従来の定着装置）のヒータの電力（消費電力）構成は、実施例（本実施の形態の定着装置）と同じ構成になっている。
【０２０５】
比較例のヒータの優先度は図２の（Ｄ）図に示されるように、常に固定され、本実施の形態と同様に作動状態毎に優先度を表示した場合、作動状態により変更されることがないようになっている。
【０２０６】
つまり、比較例は省電を考慮した待機中の状態を除き、ウォーミングアップ（ＷＵ）の状態から通紙中の状態において、加熱ローラＴ１の補助ヒータＨＣより加圧ローラＴ３のヒータＨＤの優先度が常に高く設定されており、敢えて本実施の形態の場合と同じ優先度の表記を行えば、加圧ローラＴ３のヒータＨＤは常に第２の優先度が割り当てられた発熱源に設定され、補助ヒータＨＣは第３の優先度が割り当てられた発熱源に設定されていることになる。
【０２０７】
従って、前述のように、特に、通紙開始直後は、ウォーミングアップ（ＷＵ）作動が完了した直後の定着温度が所定の温度になったとはいえ、加熱ローラＴ１と定着ベルトＴ５の表面の温度差により圧接部の定着温度が急激に低下するような状態であるから、このような温度低下を抑制するためには、加熱ローラ側に大きな熱量が必要になる。
【０２０８】
しかしながら、比較例では、加熱ローラＴ１の補助ヒータＨＣが第３の優先度が割り当てられた発熱源に設定されているので、第２の優先度が割り当てられた発熱源に設定されている加圧ローラＴ３のヒータＨＤが通電停止状態にならない限り通電されることがない。
【０２０９】
そこで、加熱ローラＴ１はメインヒータＨＡとＨＢは通電されているが、補助ヒータＨＣを通電することができず、図７の（Ａ）図に示すように、定着ベルトの表面温度Ａａの温度低下を抑制することができないので、当初２００℃程度であった温度が１８０℃程度に低下している。
【０２１０】
従って、時間が経過すれば徐々に温度は上昇するものの通紙開始の初期状態でもある通紙開始直後の状態においては光沢不良、更には定着不良が起きることもある。
【０２１１】
一方、実施例では、通紙開始直後の状態では、加熱ローラＴ１の補助ヒータＨＣが第２の優先度が割り当てられた発熱源に設定され、加圧ローラＴ３のヒータＨＤが第３の優先度が割り当てられた発熱源に設定されているので、実施例では通紙開始直後の状態の時は加熱ローラＴ１の補助ヒータＨＣが通電されるので、図７の（Ｂ）図に示すように、定着ベルトの表面温度Ｂａの温度低下を抑制することができ、２００℃近傍を推移している。
【０２１２】
実施例では、通紙が開始されてから４０ｓで、通紙開始直後の状態から通紙中の状態に作動状態が変更されている。また、この実施例および比較例では、斤量が１３５×１０-3ｋｇ／ｍ2を普通紙の上限としたので、このデータは、普通紙重視の場合の通電制御を示す普通紙モードのものである。
【０２１３】
なお、実施例においては、通紙開始直後の状態では、加圧ローラＴ３のヒータＨＤが通電されていないが、前述のように、加圧ローラＴ３の表面は外部加熱ローラＴ４のヒータＨＥにより加熱されており、また、所定の温度に維持された定着ベルトＴ５から、例えば、搬送される転写紙と転写紙の間で定着ベルトＴ５と加圧ローラＴ３とが接触することにより、熱供給を受けるため、図７の（Ｂ）図に示すように、加圧ローラＴ３の表面温度（Ｂｂ）は低下しておらず、図７の（Ａ）図に示す比較例の加圧ローラＴ３の表面温度（Ａｂ）とほぼ同様の温度を示している。
【０２１４】
従って、実施例のように、通紙開始直後の状態ではヒータの優先度が変更され、加熱ローラＴ１の補助ヒータＨＣが通電されて、転写材上のトナー像側に位置する定着ベルトの表面温度が安定した状態となる実施例の方が、ヒータの優先度が固定された比較例より効率的な加熱が行え、しかも許容消費電力の範囲内で実現できるので、定着不良を発生させることがなく高品質の画像が形成できる画像形成装置を提供できることになる。
【０２１５】
以上、本実施の形態に基づき説明したが、本実施の形態においては、画像形成装置の作動状態が複数の作動状態に区分され、複数の発熱源には、それぞれ画像形成装置の作動状態に応じて、所定の総消費電力を超えないように通電するための第１、第２及び第３の少なくとも３つの優先度のいずれかの優先度が割り当てられているので、制御手段が作動状態に応じて、これらの優先度に基づいて発熱源への通電制御を行うことにより、作動状態に応じて所定の消費電力の範囲内で画像形成装置における最適な定着装置の温度制御を行うことができ、定着不良等の発生のない高品位な画像が形成できる画像形成装置を提供することができるようになった。
【０２１６】
特に、転写材の厚みが異なる普通紙や厚紙を使用する場合に、複数の発熱源には、転写材の厚みに応じて、且つ、前記作動状態に応じて、所定の総消費電力を超えないように通電するための第１、第２及び第３の少なくとも３つの優先度のいずれかの優先度が割り当てられるようにしたので、転写材の厚みによらず安定した定着温度が得られ、定着不良等の発生のない高品位な画像が形成できる画像形成装置を提供することができるようになった。
【０２１７】
また、第２の優先度が割り当てられた発熱源と第３の優先度が割り当てられた発熱源の消費電力がほぼ等しくなるように設定したので、作動状態毎に第２の優先度が割り当てられた発熱源と第３の優先度が割り当てられた発熱源の優先度を変更しても、所定の消費電力の範囲内で効率的な通電制御を行うことができるようになった。
【０２１８】
また、画像形成装置の電源が投入されてから画像形成作動を終了し電源が遮断されるまでの間の一連の作動状態をそれぞれ予め設定された条件により、例えば、ウォーミングアップの状態、通紙開始直後の状態、通紙中の状態、及び、待機中の状態の４つに区分したので、発熱源に対して作動状態に応じて最適な優先度を設定することができ、制御手段は作動状態に応じて所定の消費電力の範囲内で効率的な通電制御を行うことができるようになった。
【０２１９】
また、加熱ローラ、定着ベルト、定着ローラ、加圧ローラ、及び外部加熱ローラ等を有する定着装置の加熱ローラ、加圧ローラ、及び外部加熱ローラに発熱源を設け、また、加熱ローラに発熱源を３個以上設けることで、転写材の厚みが異なる普通紙や厚紙を使用する場合においてもそれぞれ適切な通電制御が行え、また、通紙開始直後の急激な定着温度の低下を抑制でき、転写材上のトナー像を適切に定着できるので、定着不良等の発生のない高品位な画像が形成できる画像形成装置を提供できるようになった。
【０２２０】
なお、定着装置の構成及び定着部材に設ける発熱源の個数や消費電力、及び４つの作動状態の区分等は、本実施の形態に限定するものではなく、作動状態に応じてそれぞれの発熱源に割り当てて設定する優先度も３つの優先度に限定するものではない。
【０２２１】
また、厚みの異なる転写材は、普通紙や厚紙に限らず、また通電制御モードも転写材の厚みによる普通紙モードと厚紙モードに限るものではない。
【０２２２】
更に、本実施の形態に関しては、説明を簡単にするために、画像形成装置として複写機を例に説明してきたが、複数の発熱源を有する定着装置を備えたものであれば、複写機に限定せず、プリンタやファクシミリ等の画像形成装置、あるいはこれらの複合機に適用できることはいうまでもない。
【図面の簡単な説明】
【０２２３】
【図１】本発明に係る画像形成装置の概略図。
【図２】本発明に係る定着装置の第１の構成図。
【図３】本発明に係る定着装置の第２の構成図。
【図４】本発明に係る画像形成装置の回路構成を示すブロック図。
【図５】本発明に係る定着装置の通電制御を説明するフローチャート。
【図６】本発明に係る定着装置の作動状態を説明するフローチャート。
【図７】本発明に係る定着装置の通電制御の実施例と比較例を示すグラフ。
【符号の説明】
【０２２４】
１  筐体
２  手差し皿
３  排紙皿
４  ローラ
５  感光体ドラム
６  帯電手段
７  現像手段
８  転写手段
９  クリーニング手段
１０  定着装置
１１  画像形成手段
１２  給紙カセット
１３  画像読取手段
１４  給排紙手段
１６  中間転写体
２０  画像形成装置
３０  自動原稿送り装置
【図１】
2006243334.tif 000003
【図２】
2006243334.tif 000004
【図３】
2006243334.tif 000005
【図４】
2006243334.tif 000006
【図５】
2006243334.tif 000007
【図６】
2006243334.tif 000008
【図７】
2006243334.tif 000009